(57)【要約】【課題】煩雑な作業を軽減して、加入者識別番号が登録された記憶媒体（ＵＳＩＭカード等）の不正利用を防止することができる通信装置を提供する。【解決手段】加入者識別番号と通信装置のＩＤが記録される記憶媒体が着脱自在に装着される通信装置であって、通信装置のＩＤである第１のＩＤと記憶媒体に登録されている第２のＩＤとを比較するＩＤ比較部と、ＩＤ比較部による比較の結果、記憶媒体に第２のＩＤが記録されていて、かつ第２のＩＤと第１のＩＤが不一致であったときに、所定の連絡先に向けて、記憶媒体に登録されている加入者識別番号の不正使用を通知する不正使用通知部とを備えた。【選択図】        図７
2010034862.tif 000002
【特許請求の範囲】
【請求項１】
加入者識別番号が書換不能に登録されるとともに通信装置のＩＤが書き換え自在に記録される記憶媒体が着脱自在に装着され、装着された記憶媒体に登録されている加入者識別番号を自機の加入者識別番号として送受話を行う通信装置であって、
前記記憶媒体の装着を受けて当該通信装置のＩＤである第１のＩＤと該記憶媒体に登録されている、いずれかの通信装置のＩＤである第２のＩＤとを比較するＩＤ比較部と、
前記ＩＤ比較部による比較の結果、前記記憶媒体に前記第２のＩＤが記録されていて、かつ該第２のＩＤと前記第１のＩＤが不一致であったときに、所定の連絡先に向けて、該記憶媒体に登録されている加入者識別番号の不正使用を通知する不正使用通知部とを備えたことを特徴とする通信装置。
【請求項２】
前記記憶媒体に前記第２のＩＤが記録されておらず前記ＩＤ比較部による比較が不能であったときに、前記第１のＩＤを、前記記憶媒体に、前記第２のＩＤとして記録するＩＤ記録部を備えたことを特徴とする請求項１記載の通信装置。
【請求項３】
前記記憶媒体に前記第２のＩＤが記録されておらず前記ＩＤ比較部による比較が不能であったときに、パスワードの入力を要求するパスワード入力要求部と、
パスワードの入力操作を受け付けるパスワード入力操作部と、
前記パスワード入力操作部で入力操作を受け付けたパスワードを第１のパスワードとして記憶するパスワード記憶部とを備えたことを特徴とする請求項１又は２記載の通信装置。
【請求項４】
前記記憶媒体を当該通信装置から取り外す予告操作を受け付ける予告受付部と、
前記予告受付部で前記記憶媒体を当該通信装置から取り外す予告操作を受け付けたことを受けてパスワードの再入力を要求するパスワード再入力要求部と、
前記パスワード再入力要求部からのパスワードの再入力要求を受けて入力された第２のパスワードと、前記パスワード記憶部に記憶された第１のパスワードとを比較するパスワード比較部と、
前記パスワード比較部での比較の結果、前記第２のパスワードが前記第１のパスワードと一致した場合に、前記記憶媒体に記録されている第２のＩＤを消去するＩＤ消去部とを備えたことを特徴とする請求項３記載の通信装置。
【請求項５】
前記パスワード記憶部は、前記第１のパスワードを前記記憶媒体に記録するものであることを特徴とする請求項３又は４記載の通信装置。
【請求項６】
前記記憶媒体は、前記加入者識別番号の不正使用を通知する連絡先が記録されたものであり、
前記不正使用通知部は、前記記録媒体に記録された連絡先に前記加入者識別番号の不正使用を通知するものであることを特徴とする請求項１から５のうちのいずれか１項記載の通信装置。
【請求項７】
前記記録媒体は、処理を実行するＣＰＵが搭載され、かつ、該ＣＰＵで実行されることにより、前記ＩＤ比較部および前記不正使用通知部を構築するプログラムを記録したものであることを特徴とする請求項１から６のうちのいずれか１項記載の通信装置。
【発明の詳細な説明】
【技術分野】
【０００１】
本発明は、加入者識別番号が登録された記憶媒体が着脱自在に装着されることにより、その加入者識別番号を使った送受話が可能となる通信装置に関する。
【背景技術】
【０００２】
携帯電話機には、標準的な通話機能や電子メールの送受信機能などに加えて、被写体を撮影するためのカメラ機能、ウェブサイトを閲覧するためのブラウザ機能、テレビ番組を視聴するためのテレビ機能、音楽や映像などをダウンロードして録音／録画し、好きなときにそれらを再生するためのダウンロード機能などが搭載されてきている。携帯電話機は、単にコミュニケーションを図るための手段にとどまらず、デジタルカメラ、パーソナルコンピュータ、テレビ、音楽／映像再生機の代わりとなる自分専用の多機能端末として幅広い年代に利用されてきている。
【０００３】
また、近年では、新たな機能が搭載された機種や、小型・薄型化された見た目におしゃれな機種などが次々に発売されており、携帯電話機を頻繁に買い換えるユーザも多い。１つの電話番号を新たな携帯電話機に割り当てる方法として、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードが広く利用されている。ＵＳＩＭカードは、電話番号などといった識別情報が記録されたカードであり、普段利用している携帯電話機からＵＳＩＭカードを抜き取って新たな携帯電話機に装着すると、その新たな携帯電話機を自分の電話番号が割り当てられた携帯電話機として使用することができる。ＵＳＩＭカードを利用することによって、携帯電話機を交換するたびに、家族や友人に新たな電話番号を通知して登録しなおしてもらう手間を省くことができる。
【０００４】
しかし、携帯電話機からＵＳＩＭカードが抜き取られて不正利用されてしまっても、その後でＵＳＩＭカードが装着しなおされてしまうと、電話料金の請求がくるまでは不正利用に気づきにくいという問題がある。特に、近年では、ＵＳＩＭカードに登録された識別情報を使って各種料金の支払いなどもできるようになってきており、ＵＳＩＭカードの不正利用の被害額が拡大すると考えられる。
【０００５】
このような問題を解決する方法として、特許文献１には、携帯電話機の電源が入っている間はＵＳＩＭカードの着脱を常時監視し、ＵＳＩＭカードからの応答がない場合には画面上に警告を表示する技術について記載されている。この技術を適用することによって、ユーザはＵＳＩＭカードが抜き取られたことを早い段階で認識することができる。また、通常、携帯電話機には、電源が投入されるたびにパスワードの入力を要求し、入力されたパスワードが予め登録されたパスワードと一致した場合にのみ、ＵＳＩＭカードの使用を許可するセキュリティモードが用意されていることが一般的である。このセキュリティモードを利用することによって、ＵＳＩＭカードが盗難されてしまっても、ＵＳＩＭカードの不正利用を防止することができる。
【特許文献１】特開２００１−２３８２６０号公報
【発明の開示】
【発明が解決しようとする課題】
【０００６】
しかし、ＵＳＩＭカードからの応答を監視する方法では、携帯電話機を常に確認しているユーザであれば警告にすぐに気づくことができるが、携帯電話機をたまにしか利用しないユーザの場合、不正利用に気づくのが遅くなってしまうという問題がある。
【０００７】
また、子供や年配者にとっては、パスワードを覚えておき、電源を投入するたびにパスワードを入力することは大変煩雑な作業である。このため、多くのユーザは、セキュリティモードを解除して、パスワードによる認証なしに携帯電話機を利用しているのが現状である。
【０００８】
上記問題に鑑み、本件開示の通信装置の課題は、煩雑な作業を軽減して、ＵＳＩＭカード等の不正利用を防止することにある。
【課題を解決するための手段】
【０００９】
本件開示の通信装置の基本形態は、
加入者識別番号が書換不能に登録されるとともに通信装置のＩＤが書き換え自在に記録される記憶媒体が着脱自在に装着され、装着された記憶媒体に登録されている加入者識別番号を自機の加入者識別番号として送受話を行う通信装置であって、
記憶媒体の装着を受けて当該通信装置のＩＤである第１のＩＤと記憶媒体に登録されている、いずれかの通信装置のＩＤである第２のＩＤとを比較するＩＤ比較部と、
ＩＤ比較部による比較の結果、記憶媒体に第２のＩＤが記録されていて、かつ第２のＩＤと第１のＩＤが不一致であったときに、所定の連絡先に向けて、記憶媒体に登録されている加入者識別番号の不正使用を通知する不正使用通知部とを備えたことを特徴とする。
【００１０】
尚、ここでいう通信装置とは、例えば携帯電話機などであり、記憶媒体とは、例えばＵＳＩＭカードなどであり、加入者識別番号とは、例えば電話番号などである。
【００１１】
この通信装置の基本形態によると、加入者識別番号が登録された記憶媒体が装着されると、その通信装置のＩＤである第１のＩＤと、記憶媒体に登録されている第２のＩＤとが比較され、それらが不一致であったときには、所定の連絡先に不正使用が通知される。通信装置（例えば、携帯電話機など）の利用を契約するときに、記憶媒体（例えば、ＵＳＩＭカードなど）に本来のユーザが使用している通信装置のＩＤが登録されると、その記憶媒体が抜き取られて第３者が使用している通信装置に装着された場合、第３者の通信装置のＩＤは記憶媒体に登録されたＩＤとは異なるため、所定の連絡先に向けて不正使用が通知される。したがって、記憶媒体が盗難されてしまっても、その記憶媒体が不正な通信装置に装着されたことを早期に発見することができ、不正使用を防止することができる。
【発明の効果】
【００１２】
以上説明したように、通信装置の基本形態によると、煩雑な作業を軽減して、加入者識別番号が登録された記憶媒体（ＵＳＩＭカード等）の不正利用を防止することができる。
【発明を実施するための最良の形態】
【００１３】
以下、図面を参照して、実施形態を説明する。
【００１４】
図１は、上述した通信装置を含む不正使用防止システムの概略構成図である。
【００１５】
図１には、所定の電話番号が登録されたＵＳＩＭカード３００と、本来のユーザがＵＳＩＭカード３００を装着して使用している携帯電話機１０Ａと、第３者がＵＳＩＭカード３００を装着して登録された電話番号を不正利用しようとしている携帯電話機１０Ｂと、電話番号が不正利用されたときに通知される監視サーバ２０が示されている。携帯電話機１０Ａ，１１には、各端末を識別するための固有の端末ＩＤが割り当てられており、本体装置の記憶部に端末ＩＤが記録されている。携帯電話機１０Ａは、上述した通信機器の一例にあたり、ＵＳＩＭカード３００は、上述した記憶媒体の一例にあたり、ＵＳＩＭカード３００に登録された電話番号は、上述した加入者識別番号の一例に相当する。尚、上述した通信装置は、例えば有線の固定電話などであってもよく、上述した加入者識別番号は、電話番号以外の識別情報であってもよい。
【００１６】
図２は、携帯電話機１０Ａの外観斜視図であり、図３は携帯電話機１０Ａの背面図である。
【００１７】
図２に示すように、携帯電話機１０Ａは、互いに開閉する上部筐体１１と下部筐体１２とからなり、上部筐体１１には画像表示のためのＬＣＤ１１１、内部に小型スピーカが配備され耳にあてがわれて音声を聞き取るための送話口１１２が設けられている。
【００１８】
下部筐体１２には、ユーザによって操作され、この携帯電話機１０Ａを使って電話を掛けたり、電子メールを送信したり、各種設定を行ったりするための各種の操作キー１２１、ユーザの声をピックアップするマイクロホンが内蔵されそのマイクロホンに声を導くための受話口１２２、スピーカーが内蔵され耳にあてがわれなくても聞き取れる程度の音声を出力する放音口１２３、記録メディアが装填される装填口１２４が設けられている。
【００１９】
また、図３に示すように、下部筐体１２の背面には電池パック収容部１３３ａと、ＵＳＩＭカード装填口１３３ｂが設けられている。ＵＳＩＭカード装填口１３３ｂにＵＳＩＭカード３００が装填され、電池パック収容部１３３ａに電池パック１３２が装填された後、電池カバー１３１が装着される。
【００２０】
図４は、携帯電話機１０Ａのハードウェア構成図である。
【００２１】
図４には、ＣＰＵ１０１、ＲＡＭ１０２、マイクデバイス１０３、スピーカデバイス１０４、カメラデバイス１０５、近距離無線デバイス１０６、メディアコントローラ１０７、ＲＯＭ１０８、不揮発メモリ１０９、ディスプレイデバイス１１０、キーデバイス１１３、時計１１４、遠距離通信デバイス１１５、アンテナ１１６、およびカードコントローラ１１７等が示されており、アンテナ１１６を除き、これらの間はバス１００を介して互いに接続されている。
【００２２】
ＣＰＵ１０１は、各種プログラムを実行する機能を有し、この携帯端末１０の全体を制御している。
【００２３】
ＲＯＭ１０８には、ＣＰＵ１０１で実行される各種プログラムや、この携帯電話機１０Ａに割り当てられた端末ＩＤ等が記憶されており、ＣＰＵ１０１は、ＲＯＭ１０８に記憶されたプログラムをＲＡＭ１０２を作業領域として使いながら実行する。ＲＯＭ１０８に記憶された端末ＩＤは、上述した通信装置の基本形態における第１のＩＤの一例に相当する。
【００２４】
不揮発メモリ１０９には、アドレス帳や受信した電子メールなど、書き換えられることがありうる各種情報が記録されている。
【００２５】
マイクデバイス１０３は、ユーザの声をピックアップするマイクロホンおよびそのマイクロホンでピックアップされた声を処理する機能ブロックである。
【００２６】
スピーカデバイス１０４は、ユーザに向けて音声を出力するスピーカ、およびそのスピーカを駆動する音声信号を生成する機能ブロックである。
【００２７】
近距離無線デバイス１０６は、近距離にある外部装置に画像や電話番号などを基地局を介さずに送信するためのものであり、例えば、赤外線通信等が採用される。
【００２８】
遠距離通信デバイス１１５は、アンテナ１１６を使った音声データや電子メールの送受信等を担っている。遠距離通信デバイス１１５では、基地局を介してデータの送受信が行われる。
【００２９】
カメラデバイス１０５は、写真撮影による画像データの収集を司るブロックであり、ディスプレイデバイス１１０は、ＬＣＤ１１１（図２参照）への画像表示を司るブロックであり、キーデバイス１１３は、ユーザによる各種操作キー１２１（図２参照）のキー操作を検出するブロックであり、時計１１４は、現在時刻を取得するためのブロックである。      
【００３０】
メディアコントローラ１０７は、図２に示す装填口１２４に装填された記録メディア２００からデータを読み出したり、カメラデバイス１０５で生成された画像データ等を記録メディア２００に書き込むためのものである。
【００３１】
カードコントローラ１１７は、図３に示すＵＳＩＭカード装填口１３３ｂに装填されたＵＳＩＭカード３００へのアクセスを司るものである。
【００３２】
図５は、ＵＳＩＭカード３００に記憶されている管理テーブルを示す図である。
【００３３】
ＵＳＩＭカード３００には、電話番号３０１と、携帯電話機の端末ＩＤ３０２と、ＵＳＩＭカード３００を抜き取るときに入力される抜取パスワード３０３と、ＵＳＩＭカード３００が不正使用された場合に通知される監視サーバ２０の連絡先３０４とが登録された管理テーブルが記憶されている。この管理テーブルのうち、電話番号３０１と連絡先３０４は、出荷時などに予め登録されており、端末ＩＤ３０２と抜取パスワード３０３は、ＵＳＩＭカード３００が携帯電話機１０Ａに最初に挿入されたときに登録される。端末ＩＤ３０２は、上述した通信装置の基本形態における第２のＩＤの一例に相当する。
【００３４】
携帯電話機１０Ａは、ＵＳＩＭカード３００が装着されると、そのＵＳＩＭカード３００に登録された電話番号３０１を使って送受話を行う。
【００３５】
携帯電話機１０Ａは、外観およびハードウェア上は以上のように構成されている。
【００３６】
続いて、ＵＳＩＭカード３００の不正利用防止機能について説明する。
【００３７】
図６は、不正利用防止機能を実行するための各種要素を示す図である。
【００３８】
尚、図６には、図１に示す２つの携帯電話機１０Ａ，１１のうち正規のユーザが使用している携帯電話機１０Ａのみが示されているが、他方の携帯電話機１０Ｂも図６と同様の構成を有している。
【００３９】
ＵＳＩＭカード３００には、図５に示す管理テーブルに加えて、不正利用防止機能を実現するためのカード用プログラムも記憶されている。このカード用プログラムがＵＳＩＭカード３００用のＣＰＵ３１０で実行されることによって、ＣＰＵ３１０内に、携帯電話機１０Ａとの間で情報を送受信する送受信部３１１、ＵＳＩＭカード３００に登録された抜取パスワード３０３を管理するパスワード管理部３１２、ユーザによって入力されたパスワードとＵＳＩＭカード３００に登録された抜取パスワード３０３とを比較するパスワード比較部３１３、ＵＳＩＭカード３００に登録された端末ＩＤを管理するＩＤ管理部３１４と、ＵＳＩＭカード３００に登録された端末ＩＤと携帯電話機１０Ａに登録された端末ＩＤとを比較するＩＤ比較部３１５と、ＵＳＩＭカード３００が第３者の携帯電話機１０Ｂに装着されたことの通知を要求する不正通知要求部３１６と、ＵＳＩＭカード３００を取り外す指示を受け付ける取外受付部３１７が構築される。ＩＤ比較部３１５は、上述した通信装置の基本形態におけるＩＤ比較部の一例にあたり、不正通知要求部３１６は、上述した通信装置の基本形態における不正使用通知部の一例に相当する。
【００４０】
ここで、上述した通信装置の基本形態に対し、
上記記録媒体は、処理を実行するＣＰＵが搭載され、かつ、ＣＰＵで実行されることにより、ＩＤ比較部および不正使用通知部を構築するプログラムを記録したものであるという応用形態は好ましい。
【００４１】
ＵＳＩＭカード３００に搭載されたＣＰＵ３１０に、ＩＤ比較部や不正使用通知部を構築するプログラムが記録されることによって、不正使用防止機能が搭載されていない携帯電話機にＵＳＩＭカード３００が装着された場合であっても、不正利用を確実に通知することができる。
【００４２】
また、携帯電話機１０Ａに搭載されたＲＯＭ１０８には、携帯電話機１０Ａに割り当てられた端末ＩＤが記憶されているとともに、不正利用防止機能を実現するための本体用プログラムも記憶されている。この本体用プログラムがＣＰＵ１０１で実行されることによって、ＣＰＵ１０１内に、ＵＳＩＭカード３００を取り外すときに入力される抜取パスワードを設定するパスワード設定部４１１と、ＵＳＩＭカード３００を取り外す準備処理を実行する取外準備部４１２と、ＲＯＭ１０８に記憶された端末ＩＤをＵＳＩＭカード３００に登録させるＩＤ設定部４１３と、ＵＳＩＭカード３００用のＣＰＵ３１０から不正使用通知の要求を受けて、監視サーバ２０に電話番号の不正使用を通知する不正通知部４１４とが構築される。
【００４３】
図７は、ＵＳＩＭカード３００を携帯電話機１０Ａに装着したときの、ＵＳＩＭカード用ＣＰＵ３１０、携帯電話機１０Ａ、および監視サーバ２０それぞれにおける処理の流れを示すフローチャート図である。
【００４４】
まず、本来のユーザが新たに携帯電話機１０Ａの使用を契約する場合について説明する。このとき、ＵＳＩＭカード３００には、図５に示す管理テーブルのうち、電話番号３０１と監視サーバ２０の連絡先３０４のみが登録されている。
【００４５】
図３に示すＵＳＩＭカード装填口１３３ｂにＵＳＩＭカード３００を装填すると、図６に示すＵＳＩＭカード用ＣＰＵ３１０のＩＤ管理部３１４において、携帯電話機１０Ａの端末ＩＤを通知するＩＤ通知要求が発せられる。ＩＤ通知要求は、送受信部３１１を介して携帯電話機１０Ｂに伝えられる（図７のステップＳ２１）。
【００４６】
携帯電話機１０Ａでは、カードコントローラ１１７を介してＩＤ通知要求がＩＤ設定部４１３に伝達され、ＩＤ設定部４１３において、ＲＯＭ１０８に記憶された端末ＩＤが取得される。取得された端末ＩＤは、カードコントローラ１１７を介してＵＳＩＭ用ＣＰＵ３１０に返信される（図７のステップＳ１１）。
【００４７】
携帯電話機１０Ａから伝えられた端末ＩＤは、ＩＤ管理部３１４で取得される。ＩＤ管理部３１４では、ＵＳＩＭカード３００の管理テーブルに登録されている端末ＩＤが取得される。この時点では、管理テーブルには端末ＩＤが登録されていないため（図７のステップＳ２２：未登録）、端末ＩＤが未登録であることがパスワード管理部３１２に伝えられる。
【００４８】
パスワード管理部３１２では、ＵＳＩＭカード３００を取り外すとき入力される抜取パスワードの設定を要求する抜取パスワード設定要求が発せられる。抜取パスワード設定要求は、送受信部３１１を介して携帯電話機１０Ａに伝えられる（図７のステップＳ２３）。
【００４９】
携帯電話機１０Ｂでは、ＵＳＩＭカード用ＣＰＵ３１０から伝えられた抜取パスワード設定要求がパスワード設定部４１１で取得される。パスワード設定部４１１は、予め用意されている抜取パスワード設定画面の表示指示をディスプレイデバイス１１０に伝える。その結果、図２に示すＬＣＤ１１１に、抜取パスワードを設定するための抜取パスワード設定画面が表示される。
【００５０】
ユーザが抜取パスワード設定画面に従って抜取パスワードを入力すると、入力された抜取パスワードがキーデバイス１１３からパスワード設定部４１１に伝えられ、パスワード設定部４１１からＵＳＩＭカード用ＣＰＵ３１０に伝えられる（図７のステップＳ１２）。
【００５１】
ＵＳＩＭカード用ＣＰＵ３１０では、携帯電話機１０Ａから抜取パスワードが通知されると、ＩＤ管理部３１４において、ＵＳＩＭカード３００の管理テーブルに、ステップＳ１１で取得された携帯電話機１０Ａの端末ＩＤが登録され（図７のステップＳ２４）、パスワード管理部３１２において、ＵＳＩＭカード３００の管理テーブルに、ステップＳ１２で取得された抜取パスワードが登録される（図７のステップＳ２５）。
【００５２】
ここで、上述した通信装置の基本形態に対し、
記憶媒体に第２のＩＤが記録されておらずＩＤ比較部による比較が不能であったときに、第１のＩＤを、記憶媒体に、第２のＩＤとして記録するＩＤ記録部を備えたという応用形態は好ましく、
記憶媒体に第２のＩＤが記録されておらずＩＤ比較部による比較が不能であったときに、パスワードの入力を要求するパスワード入力要求部と、
パスワードの入力操作を受け付けるパスワード入力操作部と、
パスワード入力操作部で入力操作を受け付けたパスワードを第１のパスワードとして記憶するパスワード記憶部とを備えたという応用形態も好ましい。
【００５３】
携帯電話機１０Ａの使用を契約するときなどには、ＵＳＩＭカード３００に抜取パスワード３０３や端末ＩＤ３０２が登録されていないため、携帯電話機１０Ａに記憶されている端末ＩＤと、ユーザによって入力されたパスワードがＵＳＩＭカード３００に登録される。パスワード管理部３１２は、上述した通信装置の応用形態におけるパスワード入力要求部の一例にあたり、ＵＳＩＭカード３００は、上述した通信装置の応用形態におけるパスワード記憶部の一例に相当する。また、キーデバイス１１３とパスワード設定部４１１とを合わせたものは、上述した通信装置の応用形態におけるパスワード入力操作部の一例に相当する。
【００５４】
以上のようにして、図５に示すＵＳＩＭカード３００の管理テーブルに、端末ＩＤ３０２と抜取パスワード３０３とが登録される。ＵＳＩＭカード３００が装着されると、携帯電話機１０Ａでは、ＵＳＩＭカード３００の管理テーブルに登録された電話番号３０１が取得され、その電話番号３０１を自機の電話番号として送受話が行われる。
【００５５】
ここで、一旦、図７の説明を中断し、携帯電話機１０ＡからＵＳＩＭカード３００を取り出すときの処理について説明する。
【００５６】
図８は、携帯電話機１０ＡからＵＳＩＭカード３００を取り出すときの、携帯電話機１０ＡおよびＵＳＩＭカード３００用のＣＰＵ３１０における一連の処理の流れを示すフローチャート図である。
【００５７】
携帯電話機１０Ａには、予め、ＵＳＩＭカード３００を抜き取る前に押下する抜取ボタンが用意されている。ユーザが抜取ボタンを押すと、キーデバイス１１３から取外準備部４１２にＵＳＩＭカード３００の取外準備指示が伝えられる（図８のステップＳ４１）。取外準備指示は、取外準備部４１２からパスワード設定部４１１およびＵＳＩＭカード３００用のＣＰＵ３１０に伝えられる。
【００５８】
ＵＳＩＭカード３００用のＣＰＵ３１０では、携帯電話機１０Ａから伝えられた取外準備指示が取外受付部３１７で受け付けられ、パスワード管理部３１２に伝えられる。パスワード管理部３１２では、ＵＳＩＭカード３００の管理テーブルに登録されている抜取パスワード３０３が取得されるとともに、携帯電話機１０Ａに向けて抜取パスワードを入力する抜取パスワード入力要求が伝えられる（図８のステップＳ５１）。
【００５９】
携帯電話機１０Ａでは、パスワード設定部４１１からディスプレイデバイス１１０に、予め用意されている抜取パスワード入力画面の表示指示が伝えられる。その結果、図２に示すＬＣＤ１１１に、抜取パスワードを入力するための抜取パスワード入力画面が表示される。
【００６０】
ユーザが抜取パスワード入力画面に従って抜取パスワードを入力すると、入力された抜取パスワードがキーデバイス１１３からパスワード設定部４１１に伝えられ、さらに、パスワード設定部４１１からＵＳＩＭカード用ＣＰＵ３１０に伝えられる（図８のステップＳ４２）。
【００６１】
ＵＳＩＭカード用ＣＰＵ３１０では、パスワード管理部３１２からパスワード比較部３１３に、携帯電話機１０Ａで入力されたパスワードと、ＵＳＩＭカード３００に登録されている抜取パスワード３０３が伝えられる。パスワード比較部３１３では、それらのパスワードが一致するか否かが判定される。
【００６２】
携帯電話機１０Ａで入力されたパスワードと、ＵＳＩＭカード３００に登録されている抜取パスワード３０３とが一致する場合（図８のステップＳ５２：一致）、ＩＤ管理部３１４において、ＵＳＩＭカード３００の管理テーブルに登録されている端末ＩＤ３０２が消去される（図８のステップＳ５３）。
【００６３】
ここで、上述した通信装置の基本形態に対し、
上記記憶媒体を当該通信装置から取り外す予告操作を受け付ける予告受付部と、
予告受付部で記憶媒体を当該通信装置から取り外す予告操作を受け付けたことを受けてパスワードの再入力を要求するパスワード再入力要求部と、
パスワード再入力要求部からのパスワードの再入力要求を受けて入力された第２のパスワードと、パスワード記憶部に記憶された第１のパスワードとを比較するパスワード比較部と、
パスワード比較部での比較の結果、第２のパスワードが第１のパスワードと一致した場合に、記憶媒体に記録されている第２のＩＤを消去するＩＤ消去部とを備えたという応用形態は好適である。
【００６４】
携帯電話機１０ＡからＵＳＩＭカード３００が抜き取られる前に抜取パスワードが入力され、入力された抜取パスワードとＵＳＩＭカード３００に登録されている抜取パスワード３０３とが一致した場合に、ＵＳＩＭカード３００に登録されている端末ＩＤ３０２が消去されることによって、例えば、機種変更などを行うときに新たな携帯電話機でＵＳＩＭカード３００を使用することができ、電話番号３０１を引き継ぐことができる。取外受付部３１７は、上述した通信装置の応用形態における予告受付部の一例にあたり、パスワード管理部３１２は、上述した通信装置の応用形態におけるパスワード再入力要求部の一例に相当する。また、パスワード比較部３１３は、上述した通信装置の応用形態におけるパスワード比較部の一例にあたり、ＩＤ管理部３１４は、上述した通信装置の応用形態におけるＩＤ消去部の一例に相当する。
【００６５】
また、携帯電話機１０Ａで入力されたパスワードと、ＵＳＩＭカード３００に登録されている抜取パスワード３０３とが一致しない場合（図８のステップＳ５２：不一致）、ＵＳＩＭカード３００の管理テーブルに登録されている端末ＩＤ３０２は消去されずに保存される。
【００６６】
このように、携帯電話機１０ＡからＵＳＩＭカード３００が取り出されるときに、本来のユーザが正しく抜取パスワードを入力した場合には、ＵＳＩＭカード３００の管理テーブル中の端末ＩＤ３０２が消去され、ＵＳＩＭカード３００が未使用の状態となる。また、不正なユーザが抜取パスワードを入力せずにＵＳＩＭカード３００を抜き取った場合などには、ＵＳＩＭカード３００の管理テーブル中の端末ＩＤ３０２は消去されずに残っており、その端末ＩＤ３０２を有する携帯電話機１０Ａによって使用中の状態となる。
【００６７】
図７のフローチャートに戻って説明する。
【００６８】
機種変更などで、新たな携帯電話機に、正しく抜取パスワードが入力されて端末ＩＤ３０２が消去された未使用状態のＵＳＩＭカード３００が装着された場合、上記と同様にして、新たな携帯電話機の端末ＩＤがＵＳＩＭカード３００に登録され、その新たな携帯電話機に電話番号が引き継がれる。
【００６９】
また、抜取パスワードが入力されずに抜き取られた使用状態のＵＳＩＭカードを、同じ携帯電話機１０Ａに再び装填する場合、ＵＳＩＭカード用ＣＰＵ３１０のＩＤ管理部３１４から携帯電話機１０ＢにＩＤ通知要求が伝えられ（図７のステップＳ２１）、携帯電話機１０ＢからＵＳＩＭ用ＣＰＵ３１０に、携帯電話機１０Ａに記憶されている端末ＩＤが返信される（図７のステップＳ１１）。
【００７０】
ここでは、ＵＳＩＭカード３００の管理テーブルに携帯電話機１０Ａの端末ＩＤ３０２が登録されているため（図７のステップＳ２２：登録）、ＩＤ比較部３１５において、携帯電話機１０Ａから伝えられた端末ＩＤと、ＵＳＩＭカード３００に登録されている端末ＩＤ３０２とが比較される。携帯電話機１０Ａから伝えられた端末ＩＤと、ＵＳＩＭカード３００に登録されている端末ＩＤ３０２が一致するため（図７のステップＳ２６：Ｙｅｓ）、ＵＳＩＭカード３００の管理テーブルに登録された電話番号３０１の使用が許可される。
【００７１】
このように、正規のユーザが誤ってＵＳＩＭカード３００を抜き取ってしまっても、同じ携帯電話機１０ＡにＵＳＩＭカード３００を装着しなおす場合には、抜取パスワードの再設定などが行われずにそのままＵＳＩＭカード３００の使用が許可される。
【００７２】
また、不正ユーザが、新たな携帯電話機１０Ｂに、抜取パスワードが入力されずに抜き取られた使用状態のＵＳＩＭカードを装填すると、ＵＳＩＭカード用ＣＰＵ３１０から伝えられるＩＤ通知要求に応じて（図７のステップＳ２１）、携帯電話機１０ＢからＵＳＩＭ用ＣＰＵ３１０に、携帯電話機１０Ｂに割り当てられている端末ＩＤが返信される（図７のステップＳ１１）。
【００７３】
ＩＤ管理部３１４では、ＵＳＩＭカード３００の管理テーブルから端末ＩＤ３０２が取得され（図７のステップＳ２２：登録）、ＩＤ比較部３１５では、携帯電話機１０Ｂから伝えられた端末ＩＤと、ＵＳＩＭカード３００に登録されている端末ＩＤ３０２とが比較される。
【００７４】
今回は、携帯電話機１０Ｂから伝えられた端末ＩＤと、ＵＳＩＭカード３００に登録されている端末ＩＤ３０２とが一致せず（図７のステップＳ２６：Ｎｏ）、不正通知要求部３１６では、ＵＳＩＭカード３００の管理テーブルに登録されている連絡先３０４と、不正通知要求が携帯電話機１０Ｂに伝えられる（図７のステップＳ２７）。
【００７５】
携帯電話機１０Ｂの不正通知部４１４では、不正通知要求に応じて、ＵＳＩＭカード３００から伝えられた連絡先に不正使用通知が伝えられる（図７のステップＳ１３）。
【００７６】
監視サーバ２０では、携帯電話機２０から伝えられた不正使用通知を受信することによって、携帯電話機１０ＡのＵＳＩＭカード３００が不正に携帯電話機２０に装着されたことが検出される（図７のステップＳ３１）。
【００７７】
ここで、上述した通信装置の基本形態に対し、
上記記憶媒体は、加入者識別番号の不正使用を通知する連絡先が記録されたものであり、
上記不正使用通知部は、記録媒体に記録された連絡先に加入者識別番号の不正使用を通知するものであるという応用形態は好ましい。
【００７８】
本実施形態においては、連絡先３０４として監視サーバ２０の電話番号が登録されているが、例えば、本来のユーザが使用している固定電話の電話番号などを登録してもよい。
【００７９】
以上のように、この携帯電話機１０Ａによると、電源が投入されるたびにパスワードを入力する煩雑な作業を省き、ＵＳＩＭカード３００の不正使用を防止することができる。
【００８０】
ここで、上記では、携帯電話機の例について説明したが、上述した通信装置は、例えば有線の固定電話などであってもよい。
【００８１】
また、上記では、加入者識別番号として電話番号が登録される例について説明したが、加入者識別番号は、電話番号以外の識別番号であってもよい。
【００８２】
また、上記では、パスワード比較部やＩＤ比較部がＵＳＩＭカード３００用のＣＰＵ３１０に搭載されている例を示したが、これらは携帯電話機などといった通信装置の本体側に搭載されていてもよい。
【図面の簡単な説明】
【００８３】
【図１】不正使用防止システムの概略構成図である。
【図２】携帯電話機の外観斜視図である。
【図３】携帯電話機の背面図である。
【図４】携帯電話機のハードウェア構成図である。
【図５】ＵＳＩＭカードに記憶されている管理テーブルを示す図である。
【図６】不正利用防止機能を実行するための各種要素を示す図である。
【図７】ＵＳＩＭカードを携帯電話機に装着したときの、ＵＳＩＭカード用ＣＰＵ、携帯電話機、および監視サーバそれぞれにおける処理の流れを示すフローチャート図である。
【図８】携帯電話機からＵＳＩＭカードを取り出すときの、携帯電話機およびＵＳＩＭカード用のＣＰＵにおける一連の処理の流れを示すフローチャート図である。
【符号の説明】
【００８４】
１０Ａ，１０Ｂ      携帯電話機
２０    監視サーバ
１１    上部筐体
１２    下部筐体
１１１    ＬＣＤ
１１２    送話口
１２１    操作キー
１２２    受話口
１２３    放音口
１２４    装填口
１３１    電池カバー
１３２    電池パック
１３３ａ    電池パック収容部
１３３ｂ    ＵＳＩＭカード装填口
３００    ＵＳＩＭカード
１００    バス
１０１    ＣＰＵ
１０２    ＲＡＭ
１０３    マイクデバイス
１０４    スピーカデバイス
１０５    カメラデバイス
１０６    近距離無線デバイス
１０７    メディアコントローラ
１０８    ＲＯＭ
１０９    不揮発メモリ
１１０    ディスプレイデバイス
１１３    キーデバイス
１１４    時計
１１５    遠距離通信デバイス
１１６    アンテナ
１１７    カードコントローラ
３１１    送受信部
３１２    パスワード管理部
３１３    パスワード比較部
３１４    ＩＤ管理部
３１５    ＩＤ比較部
３１６    不正通知要求部３１６
３１７    取外受付部
【図１】
2010034862.tif 000003
【図２】
2010034862.tif 000004
【図３】
2010034862.tif 000005
【図４】
2010034862.tif 000006
【図５】
2010034862.tif 000007
【図６】
2010034862.tif 000008
【図７】
2010034862.tif 000009
【図８】
2010034862.tif 000010